(57)【要約】【課題】コンテンツ権利保護専用方式にて放送されるデジタル放送コンテンツを受信する場合は保護された放送コンテンツを復号するために必要な情報を放送波から受信しないと、コンテンツの視聴ができないため、視聴者へ映像／音声提示されるまでの期間が従来方式に比べて長くなる場合がある。【解決手段】コンテンツ権利保護専用方式にて保護された放送コンテンツの復号が即座にできない場合においても、関連する代替コンテンツを提示する手段を提供することで、視聴者に映像および音声を提示できない期間をできる限り短縮することを可能とする。【選択図】図２
2014135530.tif 000002
【特許請求の範囲】
【請求項１】
地上デジタル放送受信手段と、前記地上デジタル放送受信手段により受信した放送波からワーク鍵を生成するワーク鍵生成部と、前記ワーク鍵生成部により生成されたワーク鍵を用いて前記地上デジタル放送受信手段により受信した放送波からスクランブル鍵を生成するスクランブル鍵生成部と、前記スクランブル鍵生成部により生成されたスクランブル鍵を用いて放送コンテンツを復号するデスクランブル処理部と、前記デスクランブル処理部にて復号された映像／音声データを提示する映像／音声提示部と、デスクランブルの可否を判定するデスクランブル状態管理部と、前記デスクランブル状態管理部において判定されたデスクランブル可否状態に応じて視聴者に提示する映像／音声コンテンツを切り替えるコンテンツ切換処理部を備えたことを特徴とするデジタル放送受信装置。
【請求項２】
請求項１において、コンテンツ切換処理部は、デスクランブル状態管理部においてデスクランブル不可能と判定された場合に、放送コンテンツと関連性のある代替コンテンツを提示することを特徴とするデジタル放送受信装置。
【請求項３】
請求項１において、コンテンツ切換処理部は、代替コンテンツ提示中に、デスクランブル状態管理部においてデスクランブル可能と判定された場合に、放送コンテンツの提示に切り替えることを特徴とするデジタル放送受信装置。
【請求項４】
請求項２において、代替コンテンツを提示する場合に、代替コンテンツである旨を視聴者に提示する手段を有することを特徴とするデジタル放送受信装置。
【請求項５】
放送コンテンツがフルセグ放送のコンテンツであり、代替コンテンツが前記フルセグ放送に対応したワンセグ放送のコンテンツであることを特徴とする請求項２から請求項４のいずれかに記載のデジタル放送受信装置。
【発明の詳細な説明】
【技術分野】
【０００１】
本発明は、コンテンツ権利保護専用方式に対応した地上デジタル放送を受信することが出来るデジタル放送受信装置に関するものである。
【背景技術】
【０００２】
テレビ放送の信号のデジタル化が完了し、様々な形態の地上デジタル放送受信装置が普及している。デジタル放送ではコンテンツの著作権保護の観点から通常放送コンテンツにはスクランブルがかけられており、スクランブルを解除して放送コンテンツを視聴するためにはＢ−ＣＡＳ（登録商標）カードと呼ばれるＩＣカードを受信機に装着する必要がある。
【０００３】
近年のデジタル放送視聴装置の多様化の状況などにも関連し、視聴装置を限定するＩＣカード方式に対して視聴装置を限定せずにコンテンツを保護することを目的としたコンテンツ権利保護専用方式が実用化されようとしている。コンテンツ権利保護専用方式ではコンテンツを復号して視聴するための各種情報は放送波を受信することで得られるためＩＣカードが不要となりより多様なデジタル放送受信機に対するニーズへの対応が容易になることが期待されている。
【先行技術文献】
【特許文献】
【０００４】
【特許文献１】特許第４４６０３４４号
【非特許文献】
【０００５】
【非特許文献１】標準規格「ARIB STD-B25」第3部
【発明の概要】
【発明が解決しようとする課題】
【０００６】
コンテンツ権利保護専用方式では放送波から、放送コンテンツを復号し視聴するための情報を得ることになる。具体的には放送波の新方式ＥＭＭを受信しワーク鍵を生成し、次に新方式ＥＣＭを受信し、既に生成済みのワーク鍵を用いてスクランブル鍵を生成する。生成されたスクランブル鍵を用いて放送コンテンツの復号を行うことで視聴できるようになる。
【０００７】
図６は、コンテンツ権利保護専用方式の概要を示した説明図である。放送コンテンツを複合し視聴するまでの処理の流れは、（1)EMMを受信し、受信機固有の鍵（デバイス鍵）で復号しワーク鍵を取り出す(2)ECMを受信し、（1)で取り出したワーク鍵で復号しスクランブル鍵を取り出す(3)放送コンテンツから12セグTSを取り出し、(2)で取り出したスクランブル鍵で復号する(4)復号した12セグTSをデコードして映像／音声を出力、である。ここで、1セグTSはスクランブルされていないため復号せずに提示可能であり、Ｂ−ＣＡＳ方式では（1)(2)の復号処理はＢ−ＣＡＳカードが実行し、ＥＭＭなしでスクランブル鍵生成できる。
【０００８】
このように必要情報を全て放送波から取得することになり、初めて受信する放送局などの場合、視聴開始後、視聴者へ映像および音声を提示できるまでの期間がICカード方式に比べて長くなる可能性がある。視聴者にとってはチャンネル切換等の操作後、映像および音声が提示されるまで、従来に比べ長い時間待たされることとなり、使い勝手の面で不利となる。
【０００９】
図７は、カード方式とコンテンツ権利保護専用方式とのコンテンツ表示までの比較図である。７０１は放送局Ｂのデータ送出タイミング、横軸は時間軸である。放送局Ａを受信中に、放送局Ｂに切り替えた場合、従来のカード方式７０２では、工場出荷時点でＫｗがカードに書き込まれている為、ＥＭＭを待つ必要がなく、ＥＭＣ受信時点でＡ／Ｖスクランブル解除ができ、ＥＭＣに続くＡ／Ｖから視聴可能となる。
【００１０】
これに対し、コンテンツ権利保護専用方式７０３においては、ＥＣＭ、ＥＭＭが揃うまでＡ／Ｖスクランブル解除ができないためユーザへの映像/音声定時がカード方式に比べて遅くなる可能性が高い。なお、Ｋｗの値は放送局毎に異なる為、放送局Ａを視聴していたからといっても、放送局Ｂをすぐに視聴できないが、一度、放送局ＢのＥＭＣ、ＥＭＭを受信し、Ｋｗを生成し保持していれば、以降はカード方式と同等のタイミングで映像、音声の提示が可能である。
【００１１】
本課題を解決するために、案内番組を提示するなどの関連する従来技術（特許文献１）があるが、その場合、放送に無関係なコンテンツが提示されることになる。
【００１２】
本発明の目的はコンテンツ権利保護専用方式に対応した地上デジタル放送受信機において、視聴者の映像および音声を提示できない期間を出来る限り短くする手段を提供することである。
【課題を解決するための手段】
【００１３】
上記目的を達成するために、本発明の請求項１に記載のデジタル放送受信装置は、地上デジタル放送受信手段と、前記地上デジタル放送受信手段により受信した放送波からワーク鍵を生成するワーク鍵生成部と、前記ワーク鍵生成部により生成されたワーク鍵を用いて前記地上デジタル放送受信手段により受信した放送波からスクランブル鍵を生成するスクランブル鍵生成部と、前記スクランブル鍵生成部により生成されたスクランブル鍵を用いて放送コンテンツを復号するデスクランブル処理部と、前記デスクランブル処理部にて復号された映像／音声データを提示する映像／音声提示部と、デスクランブルの可否を判定するデスクランブル状態管理部と、前記デスクランブル状態管理部において判定されたデスクランブル可否状態に応じて視聴者に提示する映像／音声コンテンツを切り替えるコンテンツ切換処理部を備えたことを特徴とするものである。
【００１４】
また、請求項２に記載のデジタル放送受信装置は、請求項１記載の構成において、コンテンツ切換処理部は、デスクランブル状態管理部においてデスクランブル不可能と判定された場合に、放送コンテンツと関連性のある代替コンテンツを提示することを特徴とするものである。
【００１５】
また、請求項３に記載のデジタル放送受信装置は、請求項１に記載の構成において、コンテンツ切換処理部は、代替コンテンツ提示中に、デスクランブル状態管理部においてデスクランブル可能と判定された場合に、放送コンテンツの提示に切り替えることを特徴とするものである。
【００１６】
また、請求項４に記載のデジタル放送受信装置は、請求項２記載の構成において、代替コンテンツを提示する場合に、代替コンテンツである旨を視聴者に提示する手段を有することを特徴とするものである。
【００１７】
また、請求項５に記載のデジタル放送受信装置は、請求項２から請求項４のいずれかに記載の構成において、放送コンテンツがフルセグ放送のコンテンツであり、代替コンテンツが前記フルセグ放送に対応したワンセグ放送のコンテンツであることを特徴とするものである。
【発明の効果】
【００１８】
本発明によれば、コンテンツ権利保護専用方式の放送コンテンツを視聴者に提示する際に、デスクランブル可否状態に応じて、提示するコンテンツを切り替える手段を備えることで、デスクランブル不可能な場合でも関連する代替コンテンツを提供することが可能となり、視聴者に映像および音声を提示できない期間を短縮することができる効果を有する。
【図面の簡単な説明】
【００１９】
【図１】デジタル放送受信装置がデジタル放送を受信する際の説明図
【図２】本発明の実施形態に係るデジタル放送受信装置の構成を示すブロック図
【図３】本発明の実施形態に係るデジタル放送受信装置においてコンテンツ権利保護専用方式にて放送されるコンテンツを受信時に、提示するコンテンツを切り替える際のフロー図
【図４】本発明の実施形態に係るデジタル放送受信装置において代替コンテンツ提示中に正規コンテンツに切り替える、もしくは代替コンテンツ提示を継続する際のフロー図
【図５】本実施の形態によるデジタル放送受信装置の効果を示す概念図
【図６】コンテンツ権利保護専用方式の概要を示した説明図
【図７】カード方式とコンテンツ権利保護専用方式とのコンテンツ表示までの比較図
【発明を実施するための形態】
【００２０】
以下、図面を参照して、本発明の実施形態に係るデジタル放送受信装置について説明する。
【００２１】
図１は、一般的なデジタル放送受装置がデジタル放送を受信する場合の構成を示したブロック図である。デジタル放送受信機は、デジタル放送受信チューナ１１１およびＴＳ（Ｔｒａｎｓｐｏｒｔ  Ｓｔｒｅａｍ）デコーダ１１２を有している。デジタル放送受信チューナ１１１は、地上デジタルテレビジョン放送局からＴＳ（Ｔｒａｎｓｐｏｒｔ  Ｓｔｒｅａｍ）と呼ばれる信号を受信する。
【００２２】
ＴＳは、映像および音声などのデータが多重化された信号である。デジタル放送受信チューナ１１１にて受信されたＴＳは、ＴＳデコーダ１１２において、音声ＰＥＳ（Ｐａｃｋｅｔｅｄ  Ｅｌｅｍｅｎｔａｒｙ  Ｓｔｒｅａｍ）、映像ＰＥＳ、データセクション、ＰＳＩ（Ｐｒｏｇｒａｍ  Ｓｐｅｃｉｆｉｃａｉｏｎ  Ｉｎｆｏｒｍａｔｉｏｎ）、およびＳＩ（Ｓｅｒｖｉｃｅ  Ｉｎｆｏｒｍａｔｉｏｎ）に分離される。
【００２３】
ＰＥＳは、タイムスタンプ情報を含んでおり、時刻同期をとりながら映像、音声などの文字を再生することが可能なデータ形式である。ＰＳＩは、番組特定情報と呼ばれ番組コンテンツおよび放送局に関する情報（放送局名、リモコンキーＩＤ、サービス識別情報、地域識別情報など）が含まれている。
【００２４】
音声ＰＥＳは音声ＰＥＳ処理部１１３において、その音声データをスピーカ１６に出力される。映像ＰＥＳ、データセクション、ＰＳＩ、およびＳＩは、それぞれ映像ＰＥＳ処理部１１４、データセクション処理部１１５、ＰＳＩ処理部１１６、ＳＩ処理部１１７において、それぞれ映像データ、データセクションデータ、ＰＳＩ情報、ＳＩ情報が取得され、ディスプレイ１７でデジタル放送受信画面として表示される。
【００２５】
図２は、本発明の実施形態に係るデジタル放送受信装置の構成を示すブロック図である。図２において、デジタル放送受信機は、ＴＳデマルチプレクサ２０１、ワーク鍵生成部２０２、スクランブル鍵生成部２０３、デスクランブラ２０４、デスクランブル状態管理部２０５、コンテンツ切換処理部２０６、映像／音声提示部２０７、デバイス鍵記憶部２１０、ワーク鍵記憶部２１１、スクランブル鍵記憶部２１２を備えている。
【００２６】
ＴＳデマルチプレクサ２０１は、デジタル放送受信波に多重化されて送出されるＴＳの分離を実行する。ワーク鍵生成部２０２はＴＳデマルチプレクサ２０１にて分離されたＴＳから新方式ＥＭＭパケットを取得し、デバイス鍵記憶部２１０よりデバイス鍵を読み出して新方式ＥＭＭパケットを復号してワーク鍵を生成し、その他必要情報とともにワーク鍵記憶部２１１に記憶する。
【００２７】
なお、デバイス鍵記憶部２１０には新方式ＥＭＭパケットを復号してワーク鍵を生成するために必要となる受信装置固有のデバイス鍵が予め記憶されている。
【００２８】
スクランブル鍵生成部２０３はＴＳデマルチプレクサ２０１にて分離されたＴＳから新方式ＥＣＭパケットを取得し、ワーク鍵記憶部２１１からワーク鍵を読み出し、新方式ＥＣＭパケットを復号してスクランブル鍵を生成し、その他必要情報とともにスクランブル鍵記憶部２１２に記憶する。
【００２９】
デスクランブラ２０４は、スクランブル鍵記憶部２１２からスクランブル鍵を読み出し、ＴＳデマルチプレクサ２０１により分離された映像ＴＳおよび音声ＴＳを復号する。復号された映像ＴＳおよび音声ＴＳは映像／音声提示部２０７により視聴者へと提示される。
【００３０】
デスクランブル状態管理部２０５は、デスクランブラ２０４でのスクランブルの可否を判定する。コンテンツ切換処理部２０６はデスクランブル状態管理部２０５の判定結果により映像／音声提示部２０７にて提示される映像／音声コンテンツの切り替えを行う。なおワーク鍵記憶部２１１およびスクランブル鍵記憶部２１２にそれぞれ記憶されるワーク鍵、スクランブル鍵は放送局ごとに独立して記憶されている。
【００３１】
次に、図３および図４を参照して、デジタル放送受信装置がコンテンツ権利保護専用方式に対応した放送コンテンツを受信した際に、視聴者へ提示する動作について説明する。
【００３２】
なお図３はコンテンツ権利保護専用方式に対応した放送コンテンツを受信時に、デスクランブル可否判定結果により正規コンテンツもしくは代替コンテンツの提示を切り替える際にデジタル放送受信機１ａで実行されるフローチャートであり、図４は代替コンテンツを提示している時に、正規コンテンツの提示に切り替える、もしくは代替コンテンツ提示を継続する際にデジタル放送受信装置で実行されるフローチャートである。
【００３３】
なお、ここで正規コンテンツとはデスクランブリングされたコンテンツをいう。
【００３４】
図３において、デジタル放送受信装置は地上デジタル放送波の受信を開始する（ステップＳ１１）とデスクランブル状態管理部２０５にてデスクランブルが可能かどうかの判定を行う（ステップＳ１２）。デスクランブル可能かどうかには、例えばワーク鍵記憶部２１１に受信中放送局のワーク鍵を始めとする必要情報が記憶されているか否か、スクランブル鍵生成部２０３においてワーク鍵記憶部２１１に記憶されているワーク鍵を用いてスクランブル鍵が生成できるか否かなどを判定条件として利用することが考えられる。本実施の形態では、受信中放送局のワーク鍵と複合鍵がそれぞれの記憶手段に記憶されているか否かにより、デスクランブル可能か否かを判断する。即ち、スクランブル状態管理部２０５は、ＴＳマルチプレクサから選局された放送局の情報を取得し、その放送局に対するワーク鍵とスクランブル鍵とがすでにあるかどうかワーク鍵記憶部２１０、スクランブル鍵記憶部２１２を参照し、デスクランブル可能か否かを判断し、その判断結果に従いコンテンツ切換処理部を制御し、提示するコンテンツを切換える。
【００３５】
デスクランブル状態管理部２０５にてデスクランブル可能と判定された場合は、デスクランブラ２０４にて正規コンテンツのデスクランブルを実行する（ステップＳ１３）。コンテンツ切換処理部２０６は、デスクランブル状態管理部２０５の指示にしたがい、デスクランブルされたコンテンツを映像/音声提示部２０７に提示する（ステップＳ１４）。
【００３６】
一方、ステップＳ１２においてデスクランブル状態管理部２０５にてスクランブル不可能と判定された場合は、正規コンテンツの復号ができないため、コンテンツ切換処理部２０６において代替となる関連コンテンツの選択が行われる（ステップＳ１５）。
【００３７】
本実施の形態では、関連性のある代替コンテンツとしてスクランブルを施されていないワンセグ映像／音声をコンテンツ切換処理部２０６が選択し、コンテンツを映像/音声提示部２０７に提示する（ステップＳ１６）。
【００３８】
ここで、関連性のある代替コンテンツとしては、系列局への切換が可能な受信機であれば、復号可能な同系列の放送コンテンツを選択するようにしてもよい。
【００３９】
なお代替コンテンツを提示する際に、代替コンテンツである旨を視聴者に提示することにより、予期せぬコンテンツが提示されたことによる視聴者の混乱を軽減する手段を設けるなどの措置をとってもよい。
【００４０】
次に代替コンテンツを提示中の処理について図４を用いて説明する。デジタル放送受信機１ａは代替コンテンツ提示中も正規コンテンツのスクランブル可否判定を継続実行し（ステップＳ２１）、正規コンテンツがデスクランブル可能かどうかの判定を行う（ステップＳ２２）。代替コンテンツ提示中にデスクランブル状態管理部２０５にてデスクランブル可能と判定された場合は、正規コンテンツのデスクランブルを行い（ステップＳ２３）。デスクランブルされた正規コンテンツは映像/音声提示部２０７より視聴者へ提示される（ステップＳ２４）べく、コンテンツ切換処理部２０６にて制御される。
【００４１】
一方、ステップＳ２２においてデスクランブル状態管理部２０５にてスクランブル不可能と判定された場合は、正規コンテンツの復号ができないため、そのまま代替コンテンツの提示が継続される（ステップＳ２５）。
【００４２】
図５は、本実施の形態によるデジタル放送受信装置の効果を示す概念図であり、放送局Ａを受信中に放送局Ｂが始めて選局された場合の映像/音声提示部の状態を示すものである。５０２は本実施の形態における映像/音声提示部の状態を、５０１は本実施の形態よらない従来のデジタル放送受信装置の映像/音声提示部の状態を示している。
【００４３】
本実施の形態では、放送局Ｂ（フルセグ）が提示されるまえに１セグの放送局Ｂが提示されることとなり、デスクランブル不可能な場合でも関連する代替コンテンツを提供することが可能となり、５０１と比べ、視聴者に映像および音声を提示できない期間を短縮することができる。
【００４４】
以上のように、本発明によれば、コンテンツ権利保護専用方式にて放送されるコンテンツを受信した場合に、正規のコンテンツのデスクランブルが即座にできない場合においても、関連する代替コンテンツを提示する手段を提供することで、視聴者に映像および音声を提示できない期間をできる限り短縮することができる。
【産業上の利用可能性】
【００４５】
本発明は、コンテンツ権利保護専用方式にて放送されるコンテンツを受信し視聴者へ提示することができる地上デジタル受信機に有用である。
【符号の説明】
【００４６】
１６    スピーカ
１７    ディスプレイ
１１１    デジタル放送受信チューナ
１１２    ＴＳデコーダ
１１３    音声ＰＥＳ処理部
１１４    映像ＰＥＳ処理部
１１５    データセクション処理部
１１６    ＰＳＩ処理部
１１７    ＳＩ処理部
２０１    ＴＳデマルチプレクサ
２０２    ワーク鍵生成部
２０３    スクランブル鍵生成部
２０４    デスクランブラ
２０５    デスクランブル状態管理部
２０６    コンテンツ切換処理部
２０７    映像／音声提示部
２１０    デバイス鍵記憶部
２１１    ワーク鍵記憶部
２１２    スクランブル鍵記憶部
【図１】
2014135530.tif 000003
【図２】
2014135530.tif 000004
【図３】
2014135530.tif 000005
【図４】
2014135530.tif 000006
【図５】
2014135530.tif 000007
【図７】
2014135530.tif 000008
【図６】
2014135530.tif 000009